(57)【要約】【課題】ＩＣカードとともに使用される電子機器において、ＩＣカードが正しく挿入されているかをユーザが簡単に知ることができる構造を提供する。【解決手段】本発明に係る切欠部を有するＩＣカードを保持しバッテリ駆動する電子機器は、ＩＣカード逆入れ防止機構を具えており、ＩＣカードがＩＣカード保持部内に正しく収容されていない場合に、少なくともＩＣカード逆入れ防止具の一部が電池収容凹部内に残り、電池が電池収容凹部内に収容不能となるため、ユーザはＩＣカードの誤挿入を知ることができる。【選択図】図１
2010218345.tif 000002
【特許請求の範囲】
【請求項１】
切欠部を有するＩＣカードを保持しバッテリ駆動する電子機器において、
前記ＩＣカードを保持するためのＩＣカード保持部と、
電池を収容するための電池収容凹部と、
前記電池収容凹部内に延在する第１の位置と前記ＩＣカード保持部内に延在する第２の位置との間で移動可能なＩＣカード逆入れ防止具とを具え、前記ＩＣカードが前記ＩＣカード保持部内に正しく収容されていない場合に、前記ＩＣカード逆入れ防止具の少なくとも一部が前記電池収容凹部内に残り、前記電池が前記電池収容凹部内に収容不能となることを特徴とする電子機器。
【請求項２】
請求項１に記載の電子機器において、前記ＩＣカード逆入れ防止具が、前記ＩＣカード保持部に保持された前記ＩＣカードの切欠部に対応する欠落部に位置することによって、前記電池収容凹部内に前記電池を収容することが可能となることを特徴とする電子機器。
【請求項３】
請求項１又は２に記載の電子機器において、前記ＩＣカード保持部は、前記電池収容凹部に前記電池が収容されていると、前記ＩＣカードが挿入不能となるよう構成されていることを特徴とする電子機器。
【請求項４】
請求項１乃至３のいずれか１項に記載の電子機器において、前記ＩＣカード逆入れ防止具の移動方向が、前記ＩＣカード保持部と前記電池収容凹部との間の勾配を有する方向であることを特徴とする電子機器。
【請求項５】
請求項４に記載の電子機器において、前記勾配が約４５°であることを特徴とする電子機器。
【請求項６】
請求項１乃至５のいずれか１項に記載の電子機器において、前記ＩＣカード保持部と前記電池収容凹部が隣接配置されていることを特徴とする電子機器。
【請求項７】
請求項１乃至６のいずれか１項に記載の電子機器において、前記ＩＣカード逆入れ防止具が、前記ＩＣカードの切欠部に対応する欠落部とほぼ同一形状の部分を具えることを特徴とする電子機器。
【請求項８】
請求項１乃至７のいずれか１項に記載の電子機器において、当該電子機器が携帯電話機であるとともに、前記ＩＣカードがＳＩＭカードであることを特徴とする電子機器。
【請求項９】
切欠部を有するＩＣカードを保持しバッテリ駆動する電子機器のＩＣカード逆入れ防止機構において、
前記電子機器が、前記ＩＣカードを保持するためのＩＣカード保持部と、電池を収容するための電池収容凹部とを具え、
前記ＩＣカード逆入れ防止機構が、前記電池収容凹部内に延在する第１の位置と前記ＩＣカード保持部内に延在する第２の位置との間で移動可能であるＩＣカード逆入れ防止具を具え、前記ＩＣカードが前記ＩＣカード保持部内に正しく収容されていない場合に、前記ＩＣカード逆入れ防止具の少なくとも一部が前記電池収容凹部内に残り、前記電池が前記電池収容凹部内に収容不能となることを特徴とするＩＣカード逆入れ防止機構。
【発明の詳細な説明】
【技術分野】
【０００１】
本発明は、ＩＣカードとともに使用する電子機器に関し、特に、携帯電話機などの携帯端末機に用いられるＳＩＭ（Subscriber Identity Module：加入者識別モジュール）カードの誤挿入を防止するＩＣカード逆入れ防止機構に関する。
【背景技術】
【０００２】
近年、ＩＣカードやＩＣチップが、磁気カードに比べ数十倍から数千倍の記録容量を有し、さらに安全性が高いため、電子マネーや識別カードとして広く使用されている。ＩＣカードの一つとして、携帯電話機等に一般的に使用されているＳＩＭカードがある。ＳＩＭカードは、携帯電話番号などの契約者情報を記録したＩＣカードであり、ＳＩＭカードの入れ替えだけで、通信キャリアや携帯電話機を自由に変えることができるため、非常に有用である。
【０００３】
携帯電話機に用いられるＳＩＭカードは、接触式のＩＣカードであり、携帯電話機内のコネクタと確実に接続するように正しい方向に挿入されて装着される必要がある。さらに、電源が供給された状態でＳＩＭカードの着脱を行うと、ＳＩＭカードに不具合が発生することがあるため、ＳＩＭカードを着脱する際には予め携帯電話の電源を切っておく必要がある。そこで、携帯電話機が様々なユーザに使用されるようになってきている現代において、誰でもＳＩＭカードを正しく簡単に取り扱うことができるようにする構造が必要とされてきた。
【０００４】
このような構造に関する従来技術として、ＩＣカードがＩＣカード保持部内で適正に配置されている場合にのみ、カードロック部材がＩＣカードに係合して、電池を挿入することができるＩＣカード保持装置が開示されている（例えば、特許文献１及び２）。
【先行技術文献】
【特許文献】
【０００５】
【特許文献１】特開２００２−１７６４７９号公報
【特許文献２】特開２００３−３０４３１３号公報
【発明の概要】
【発明が解決しようとする課題】
【０００６】
しかしながら、特許文献１に記載のスマートカード読取装置モジュールでは、ＩＣカードの挿入時にＩＣカードの前縁でロック部材に力をかけてロック部材を動かさなければならず、ＩＣカードが変形してしまう可能性がある。また、特許文献２に記載のＩＣカード保持装置においては、ＩＣカードを装着するためにカードロックのみを個別に手で動かす必要があり、手間がかかっていた。
【０００７】
また、ＩＣカードの着脱を電池を取り外した状態でのみ可能とするように、特許文献１では、ＩＣカード保持部と電池収容凹部とを重畳させて配置し、特許文献２では、ＩＣカード保持部を電池で塞ぐように構成している。しかし、このような構成では、電池を取り外さなければＩＣカードの装着状態を確認できないという問題があった。さらに、ＩＣカード保持部と電池収容凹部を重畳配置するため、携帯電話機の筐体が厚くなってしまい、薄型化に限界があった。
【０００８】
本発明は、上述の課題に鑑みなされたものであり、これらの課題を解決又は軽減するＩＣカード逆入れ防止具を具える電子機器を提供することにある。
【課題を解決するための手段】
【０００９】
本発明に係る切欠部を有するＩＣカードを保持しバッテリ駆動する電子機器は、ＩＣカードを保持するためのＩＣカード保持部と、電池を収容するための電池収容凹部と、電池収容凹部内に延在する第１の位置とＩＣカード保持部内に延在する第２の位置との間で移動可能なＩＣカード逆入れ防止具とを具え、ＩＣカードがＩＣカード保持部内に正しく収容されていない場合に、ＩＣカード逆入れ防止具の少なくとも一部が電池収容凹部内に残り、電池が電池収容凹部内に収容不能となることを特徴とする。
【００１０】
本発明に係る電子機器において、ＩＣカード逆入れ防止具が、ＩＣカード保持部に保持されたＩＣカードの切欠部に対応する欠落部に位置することによって、電池収容凹部内に電池を収容することが可能となることを特徴とする。
【００１１】
本発明に係る電子機器において、ＩＣカード保持部は、電池収容凹部に電池が収容されていると、ＩＣカードが挿入不能となるよう構成されていることを特徴とする。
【００１２】
本発明に係る電子機器において、ＩＣカード逆入れ防止具の移動方向が、ＩＣカード保持部と電池収容凹部との間の勾配を有する方向であることを特徴とする。さらに、本発明に係る電子機器において、勾配が約４５°であることを特徴とする。
【００１３】
本発明に係る電子機器において、ＩＣカード保持部と電池収容凹部が隣接配置されていることを特徴とする。
【００１４】
本発明に係る電子機器において、ＩＣカード逆入れ防止具が、ＩＣカードの切欠部に対応する欠落部とほぼ同一形状の部分を具えることを特徴とする。
【００１５】
本発明に係る電子機器において、当該電子機器が携帯電話機であるとともに、ＩＣカードがＳＩＭカードであることを特徴とする。
【００１６】
本発明に係る切欠部を有するＩＣカードを保持しバッテリ駆動する電子機器のＩＣカード逆入れ防止機構において、電子機器が、ＩＣカードを保持するためのＩＣカード保持部と、電池を収容するための電池収容凹部とを具え、ＩＣカード逆入れ防止機構が、電池収容凹部内に延在する第１の位置とＩＣカード保持部内に延在する第２の位置との間で移動可能であるＩＣカード逆入れ防止具を具え、ＩＣカードがＩＣカード保持部内に正しく収容されていない場合に、ＩＣカード逆入れ防止具の少なくとも一部が電池収容凹部内に残り、電池が電池収容凹部内に収容不能となることを特徴とする。
【発明の効果】
【００１７】
本発明によると、ＩＣカードが正しく配置されていないと電池の収容が不能となるので、ＩＣカードが適正な位置に配置されているかどうかを、ユーザは、電池の挿入時に確実に知ることができる。また、電池の挿入によってＩＣカード保持具が押されて移動するため、ユーザは、ＩＣカード逆入れ防止具を個別に動かす必要がなく、労せずしてＩＣカードが適正な位置に配置されているかどうかを知ることができる。また、本発明に係るＩＣカード逆入れ防止具は、ＩＣカード自体に余分な力を加えることなくＩＣカードを挿入できるため、カードが変形してしまう心配がない。
【００１８】
また、本発明の一実施例によると、ＩＣカード逆入れ防止具が、ＩＣカード保持部に保持されたＩＣカードの切欠部に対応する欠落部に位置することによって、ＩＣカードを適正な位置に簡単に固定して保持することができる。
【００１９】
また、本発明の一実施例によると、ＩＣカードが電池収容凹部内を通らなければ着脱不能であるため、電池が収容された状態ではＩＣカードを着脱することができない。これにより、電源が入っている状態でＩＣカードが着脱されることを確実に防ぐことができる。
【００２０】
また、本発明の一実施例によると、ＩＣカード逆入れ防止具の移動方向が、ＩＣカード保持部と電池収容凹部との間の勾配を有する方向であるため、電池を取り外すと、ＩＣカード逆入れ防止具がＩＣカード保持部側から電池収容凹部側へ自重によって自然に戻り、ＩＣカードの固定を解除する。これにより、ＩＣカード逆入れ防止具を個別に動かしてＩＣカードを取り外す必要がない。さらに、ＩＣカード逆入れ防止具を元の位置に戻すための部品（バネ等）を不要とし、簡単な構造にすることができる。
【００２１】
本発明の一実施例によると、ＩＣカード保持部と電池収容凹部を隣接配置したため、携帯電話機の筐体を薄型にすることが可能となる。さらに、電池を取り外すことなくＩＣカードが挿入されているかを目視確認することができる。
【００２２】
本発明の一実施例によると、ＩＣカード逆入れ防止具が、ＩＣカードの切欠部に対応する欠落部とほぼ同一形状の部分を具えることによって、ＩＣカードとＩＣカード逆入れ防止具の係合面積を大きくして、ＩＣカードを適正な位置に確実に固定して保持することができる。
【図面の簡単な説明】
【００２３】
図面を参照して本発明の一実施例を説明するが、本発明の動作を説明するために、可動部材に斜線を施して示す。
【図１】図１（ａ）は、本発明の一実施例に係るＩＣカード逆入れ防止機構２０を具える携帯電話機１０の背面図であり、ＳＩＭカード１１を適正な位置に配置し、電池１５を取り外した状態であり、図１（ｂ）は、図１（ａ）のＡ−Ａ線断面を模式的に表した概略断面図であり、図１（ｃ）は図１（ｂ）の部分拡大図である。
【図２】図２（ａ）は、図１の携帯電話機１０に電池１５を装填した状態を示しており、図２（ｂ）は、図２（ａ）のＢ−Ｂ線断面を模式的に表した概略断面図であり、図２（ｃ）は図２（ｂ）の部分拡大図である。
【図３】図３（ａ）は、図２（ａ）のＳＩＭカード１１が裏表逆にＳＩＭカード保持部１４内に挿入されており、図３（ｂ）は、図３（ａ）のＣ−Ｃ線断面を模式的に表した概略断面図であり、図３（ｃ）は図３（ｂ）の部分拡大図である。
【図４】図４（ａ）は、図３（ａ）のＳＩＭカード１１をさらに紙面上で１８０°回転させてＳＩＭカード保持部１４内に挿入した状態を示しており、図４（ｂ）は、図４（ａ）のＤ−Ｄ線断面を模式的に表した概略断面図であり、図４（ｃ）は図４（ｂ）の部分拡大図である。
【図５】図５は、従来の携帯電話機５０の電池カバー５３を取り外した状態の分解斜視図である。
【図６】図６（ａ）は、従来の携帯電話機５０の背面図であり、ＳＩＭカード１１を適正な位置に配置し、電池１５を取り外した状態であり、図６（ｂ）は、図６（ａ）のＥ−Ｅ線断面を模式的に表した概略断面図であり、図６（ｃ）は、図６（ｂ）の部分拡大図である。
【図７】図７（ａ）は、図６（ａ）の携帯電話機５０において、電池収容凹部１６に電池１５を完全に収容した状態を示しており、図７（ｂ）は、図７（ａ）のＦ−Ｆ線断面を模式的に表した概略断面図であり、図７（ｃ）は図７（ｂ）の部分拡大図である。
【図８】図８（ａ）は、図７（ａ）のＳＩＭカード１１が裏表逆にＳＩＭカード保持部１４内に挿入されており、図８（ｂ）は、図８（ａ）のＧ−Ｇ線断面を模式的に表した概略断面図であり、図８（ｃ）は図８（ｂ）の部分拡大図である。
【図９】図９（ａ）は、図８（ａ）のＳＩＭカード１１がさらに紙面上で１８０°回転させてＳＩＭカード保持部１４内に挿入されており、図９（ｂ）は、図９（ａ）のＨ−Ｈ線断面を模式的に表した概略断面図であり、図９（ｃ）は図９（ｂ）の部分拡大図である。
【発明を実施するための形態】
【００２４】
まず、従来の携帯電話機におけるＳＩＭカード保持部の構造を図５乃至図９を参照しながら説明する。図５は、従来の携帯電話機５０の電池カバーを取り外した状態の分解斜視図である。携帯電話機５０は、正面部５１と、背面部５２と、電池カバー部５３とを具える。なお、図示していないが、携帯電話機として機能するために、携帯電話機５０は、通信を行うための通信機能部、ユーザが操作するための操作部、及び表示部など一般的な携帯電話機が具える構造を具えるが、ここでは省略する。
【００２５】
携帯電話機５０内には、ＳＩＭカード１１を保持するためのＳＩＭカード保持部１４と、電池１５を収容するための電池収容凹部１６とが設けられており、ＳＩＭカード保持部１４と電池収容凹部１６は隣接して配置されている。ＳＩＭカード１１及び電池１５は着脱可能であり、本図では、ＳＩＭカード１１及び電池１５を装着した状態を示している。構造を分かりやすくするために、携帯電話機の筐体によってＳＩＭカード１１及びＳＩＭカード保持部１４の見えない部分を点線で示している。
【００２６】
ＳＩＭカード１１は、長方形の角の一つを切除したような切欠部１２を有する平板状である。本書では、この切欠部に対応する部分を欠落部と定義する。このＳＩＭカードの欠落部は三角形の平板状であることが多いが、本発明の適用対象はこれに限られるものではない。また、本書において、ＳＩＭカード保持部１４におけるＳＩＭカード１１の適正な位置は、図５に示すように、ＳＩＭカード１１の切欠部１２が、紙面上で右上側になる位置とする。
【００２７】
図６（ａ）は、従来の携帯電話機５０の背面図であり、電池カバーを取り外した状態で示されている。また、図６（ａ）は、ＳＩＭカード１１がＳＩＭカード保持部１４の適正な位置に配置され、電池収容凹部１６に電池１５を収容していない状態を示す。図６（ｂ）は、図６（ａ）のＥ−Ｅ線断面を模式的に表した概略断面図であり、携帯電話機５０に電池１５を挿入する様子を示している。図６（ｃ）は、図６（ｂ）の部分拡大図であり、ＳＩＭカード１１が電池収容凹部１６へ突出しておらず、電池１５の挿入を妨げることがないことが理解される。
【００２８】
図７は、図６の携帯電話機５０において、電池収容凹部１６に電池１５を完全に収容した状態を示している。本図に示すように、電池１５は、ＳＩＭカード１１に干渉することなく完全に収容される。
【００２９】
図８は、図７のＳＩＭカード１１を裏表逆にしてＳＩＭカード保持部１４内に配置した状態を示している。図９は、図８の状態のＳＩＭカード１１を紙面上で１８０°回転させて、切欠部１２がＳＩＭカード保持部１４の中に入り込むようにＳＩＭカード１１を配置した状態である。
【００３０】
図８及び図９から分かるように、この構成では、ＳＩＭカード１１が適正な位置に配置されていない場合でも、電池１５を電池収容凹部１６内に収容できてしまい、この状態で携帯電話機５０の電源を入れることが可能である。これは、ＳＩＭカードを挿入したのに携帯電話機が使えないといった市場クレームが発生する原因となる。
【００３１】
以下、本発明に係る電子機器の実施形態について図１乃至図４を参照しながら説明する。
【００３２】
本発明の一実施例にかかるＩＣカード逆入れ防止機構２０を具える携帯電話機１０を図１乃至図４に示す。携帯電話機１０は、ＩＣカード逆入れ防止機構２０に関連する機構を除いて、図５に示した従来の携帯電話機と同じ機能及び構造を具える。また、ＳＩＭカード１１は、図５に示したＳＩＭカードと同じである。
【００３３】
はじめに、図１及び図２を参照しながら、ＳＩＭカード１１がＳＩＭカード保持部１４の適正な位置に配置されている場合のＩＣカード逆入れ防止機構２０の構造について説明する。図１、図２において、ＳＩＭカード１１は、ＳＩＭカード保持部１４に正しく挿入されている。
【００３４】
図１（ａ）は、本発明に係る携帯電話機１０の背面図であり、電池カバーを取り外した状態で示している。図１（ａ）は、電池１５が電池収容凹部１６内に収容されていない状態である。図１（ｂ）は、図１（ａ）のＡ−Ａ線断面を模式的に表した概略断面図であり、携帯電話機１０に電池１５を挿入する様子を示している。図１（ｃ）は図１（ｂ）の部分拡大図である。本図に示すように、携帯電話機１０は、ＩＣカードが誤挿入されることを防止するＩＣカード逆入れ防止機構２０を具える。ＩＣカード逆入れ防止機構２０は、ＩＣカード逆入れ防止具２１と、ＩＣカード逆入れ防止具用のスライド溝部２２から構成されている。ＩＣカード逆入れ防止具２１は、図１（ｃ）に図示するように、矢印Ｘ方向に移動可能であるように、その一部が、ＳＩＭカード保持部１４と電池収容凹部１６の間の壁部１７に設けられたスライド溝部２２内に保持されている。ＩＣカード逆入れ防止具２１の移動方向は、図１（ｂ）のように携帯電話機１０を水平面に置いたときに、図１（ｃ）に示すように水平面に対して角度θの勾配を形成する方向である。
【００３５】
図２は、図１の携帯電話機１０にさらに電池１５を装填した状態を示している。ＩＣカード逆入れ防止具２１は、図１に示す第１の位置と図２に示す第２の位置との間で移動可能である。第１の位置とは、図１に示すように、ＩＣカード逆入れ防止具２１の一部が電池収容凹部１６の内部または上方に突き出している位置をいう。また、第２の位置とは、図２に示すように、ＩＣカード逆入れ防止具２１が電池収容凹部１６の内部または上方に突き出すことなく、ＳＩＭカード保持部１４内に保持されたＳＩＭカード１１の欠落部１３に入り込んだ位置をいう。
【００３６】
次に、図１乃至図４を参照しながら、ＩＣカード逆入れ防止機構２０の動作について説明する。  
【００３７】
図１（ｂ）に示すように、ユーザが電池収容凹部１６内に電池１５を挿入すると、電池１５は第１の位置にあるＩＣカード逆入れ防止具２１と接触する。そのまま電池１５の挿入を続けると、ＩＣカード逆入れ防止具２１は、矢印Ｘ方向に第１の位置から第２の位置へ向けて移動する。図１、図２に示すように、ＳＩＭカード１１がＳＩＭカード保持部１４に正しく挿入されている場合には、ＩＣカード逆入れ防止具２１は、ＳＩＭカード１１に干渉することなく第２の位置まで移動することができ、電池１５を電池収容凹部１６に完全に収容することができる。
【００３８】
次に、図３及び図４を参照しながら、ＳＩＭカード１１がＳＩＭカード保持部１４に正しく挿入されていない状態におけるＩＣカード逆入れ防止機構２０の動作について説明する。
【００３９】
図３では、図２のＳＩＭカード１１が裏表逆にＳＩＭカード保持部１４内に配置されている。図４は、図３の状態のＳＩＭカード１１をさらに紙面上で１８０°回転させて、切欠部１２がＳＩＭカード保持部１４の中に入り込むようにＳＩＭカード１１を配置した状態である。
【００４０】
図３（ｂ）及び図４（ｂ）から理解されるように、ＳＩＭカード１１が適正な位置に配置されていない状態で、ユーザが電池収容凹部１６内に電池１５を挿入すると、ＩＣカード逆入れ防止具２１は、第２の位置に達する前にＳＩＭカード１１にぶつかってしまい、第２の位置まで移動できない。このとき、ＩＣカード逆入れ防止具２１の一部は、電池収容凹部１６の内部に突き出している状態となり、電池収容凹部１６内に電池１５を完全に収容することができなくなる。これにより、ユーザは、ＳＩＭカード１１がＳＩＭカード保持部１４に正しく挿入されていないことを知ることができる。  
【００４１】
以上、本発明の一実施例について詳細に説明したが、これらは例示にすぎず、本発明はこれらに限定されるものではない。例えば、本発明に係る電子機器を扁平形状の携帯電話機として示したが、折り畳み構成の携帯電話機、スライド式の携帯電話機、携帯型のＩＣカード読取装置など、ＩＣカードを装着する構成を具える様々な電子機器に適用することができる。
【００４２】
また、ＩＣカードは、ＳＩＭカードに限定されず、ＵＩＭカード、ＵＳＩＭカード、メモリカード等の様々なカードであってもよい。
【００４３】
本実施例において、ＩＣカード逆入れ防止具の移動方向は水平面に対して角度θを形成するように構成したが、角度θは、様々な角度にすることができる。しかし、一般的に、携帯電話機からＳＩＭカードを着脱する場合には、図１（ｂ）のように背面部を上にして机上に置くか、片手で持ち、０°乃至４５°の範囲で立てた状態で電池及びＳＩＭカードを着脱する。そのため、このような機器の姿勢においてユーザが電池を取り外すと、ＩＣカード逆入れ防止具が、ユーザによる動作を必要とせずに自重によって第１の位置へ戻るように、第１の位置が第２の位置より下になるように構成することが好ましい。さらに、この角度θは約４５°であることが好ましい。これにより、一般的にユーザが携帯電話機を把持しやすい約４５°に傾けて把持した状態で、ＩＣカード逆入れ防止具の移動方向が鉛直方向となるため、ＩＣカード逆入れ防止具を第１の位置へ戻りやすくすることができる。
【００４４】
本実施例において、ＩＣカード逆入れ防止具は斜め方向に移動するように示したが、これに限定されるものではなく、第１の位置から第２の位置へ移動する様々な構成に変更可能である。例えば、ＩＣカード逆入れ防止具は、アームによって壁部１７に軸支されるように構成され、このアームの基部を支点に第１の位置と第２の位置の間でスイング移動するようにしても良い（図示せず）。また、本実施例において、第１の位置と第２の位置の間に角度θを形成するように高低差を設けたが、これに限定されるものではなく、高低差を設けずに移動するよう構成してもよい。
【００４５】
また、ＩＣカード逆入れ防止具にバネなどの弾性部材を取り付けて、電池を外すとＩＣカード逆入れ防止具がバネ付勢により第１の位置に戻るように構成してもよい。
【００４６】
また、本実施例におけるＩＣカード逆入れ防止具は、ＳＩＭカードの欠落部に対応するほぼ三角形状の部分を具えているが、この形状に限定されるものではない。しかし、ＩＣカード逆入れ防止具は、ＳＩＭカードの欠落部に対応する大きさ及び形状の面を有することが好ましい。これにより、電池を収容すると、ＩＣカード逆入れ防止具がＳＩＭカードの切欠部と一致することによって、ＳＩＭカードをＳＩＭカード保持部にしっかりと固定して保持することができる。一般的に、ＳＩＭカードの欠落部は三角形状であるため、ＩＣカード逆入れ防止具は、欠落部の三角形とほぼ同じ大きさ及び形状の面を有することが好ましい。  
【００４７】
なお、上述の実施形態は、例示に過ぎず、上述の構成や形状に限定されるものではなく、本発明の範囲内において適宜変形、変更が可能である。
【符号の説明】
【００４８】
１０  携帯電話機
１１  ＳＩＭカード
１２  切欠部
１３  欠落部
１４  ＳＩＭカード保持部
１５  電池
１６  電池収容凹部
１７  壁部
２０  ＩＣカード逆入れ防止機構
２１  ＩＣカード逆入れ防止具
２２  スライド溝部
５０  従来の携帯電話機
５１  正面部
５２  背面部
５３  電池カバー部
【図１】
2010218345.tif 000003
【図２】
2010218345.tif 000004
【図３】
2010218345.tif 000005
【図４】
2010218345.tif 000006
【図５】
2010218345.tif 000007
【図６】
2010218345.tif 000008
【図７】
2010218345.tif 000009
【図８】
2010218345.tif 000010
【図９】
2010218345.tif 000011